(57)【特許請求の範囲】
【請求項１】
底部が開放された側溝ブロックとこれに内接支持される底板とよりなる側溝形成ブロック体であって、前記底板は、その勾配を調整するため、その突出長さが調整可能な支え調整ボルトを端部に備え、且つ、支持ボルトで側溝ブロックに設けた長溝を介して、上下方向の動きの自由度をもって支持されるとともに、前記支持ボルトは、前記支え調整ボルトの突出長さ調整のため、ワイヤを掛けて吊り上げ可能な状態に突出させたことを特徴とする側溝形成ブロック体。
【請求項２】
底板に開口部が形成されていることを特徴とする、請求項１記載の側溝形成ブロック体。
【請求項３】
側溝ブロックの一方の端面に他の側溝ブロックの凹部に嵌合する凸部が、且つ他方の端面にさらに他の側溝ブロックの凸部に嵌合する凹部が形成されていることを特徴とする、請求項１記載の側溝形成ブロック体。
【請求項４】
底板の上面が流水性向上のため湾曲状に形成されていることを特徴とする、請求項１記載の側溝形成ブロック体。
【請求項５】
側溝ブロックに蓋穴が形成されていることを特徴とする、請求項１記載の側溝形成ブロック体。
【請求項６】
蓋穴を備え底部が開放された側溝ブロックとこれに内接支持され開口部を有する底板とよりなる側溝形成ブロック体であって、上面が湾曲状に形成された底板は支持ボルトを使って側溝ブロックに設けた長溝を介して支持されることにより上下方向の動きの自由度を有し、底板の端部に突出長さが調整可能な支え調整ボルトを備え、前記支持ボルトは、前記支え調整ボルトの突出長さ調整のため、ワイヤを掛けて吊り上げ可能な状態に突出させたことを特徴とする側溝形成ブロック体。
【発明の詳細な説明】
【０００１】
【発明の属する技術分野】
本発明は、道路等の側溝を形成するのに用いる側溝形成ブロック体に関し、更に詳しくは地面に溝条を掘削し、この掘削した溝条の中に複数個の水路構築用コンクリートブロックを長尺方向に連結しつつ埋設して水路を構築する方法に用いる側溝形成ブロック体に関するものである。
【０００２】
【従来の技術】
複数個の水路構築用のコンクリートブロックを長尺方向に連結して所定の水路勾配を有するこの種の水路を構築する場合は、水路構築用のコンクリートブロックを道路わきに布設した基礎コンクリートの上に載置する。
その後、構築後の水路の底面に長尺方向で所定の水路勾配を持たせるために勾配を調整するコンクリートを水路の底部側に打設し、硬化させていた。
【０００３】
例えば、従来、主として行われている特開平７−１８９３３１号公報に開示される基礎構築方法においては、プレキャスト基礎版とプレキャストインバート版を用い、基礎地盤上に基礎版を敷設し、該基礎版を上にモルタルを盛り付け、モルタルの固化前にこの上にインバート版を排水勾配に合わせて載置して基礎を構成し、その後側溝ブロックをインバート版を跨ぐかたちで配設するものである。
【０００４】
【発明が解決しようとする課題】
このような施工方法ではインバート版を載置する前にモルタルを盛り付け、モルタルが固化前にその上にインバート版を排水勾配に合わせて載置して基礎を形成することになる。
その場合、インバートコンクリート版を跨ぐように側溝ブロックを配設するものであるが、配設する際、両者の嵌め合いが必ずしも正確にいかない。
またモルタルの上にインバートコンクリート版を敷き軽くたたきながら、排水勾配に合わせて設置するようにしているため、作業に手間がかかり作業時間も多くならざるを得ない。
また  また、モルタルの固化速度との関係で、時間的なズレが生ずると、勾配の調整ができなくなる恐れもあった。
【０００５】
本発明はかかる技術的な問題点を背景に開発されたものである。
すなわち、効率よくしかも的確に、傾斜を備えた水路を構築するための側溝形成ブロック体を提供することを目的とする。
【０００６】
【課題を解決するための手段】
しかして、本発明者等は、このような課題に対して、鋭意研究を重ねて結果、側溝ブロックと底板とを多少の動きの自由度を保証した状態で一体的に取り付けることで底板の勾配が容易に調整できることを見い出し、この知見に基づいて本発明を完成させたものである。
【０００７】
すなわち、本発明は、（１）、底部が開放された側溝ブロックとこれに内接支持される底板とよりなる側溝形成ブロック体であって、前記底板は、その勾配を調整するため、その突出長さが調整可能な支え調整ボルトを端部に備え、且つ、支持ボルトで側溝ブロックに設けた長溝を介して、上下方向の動きの自由度をもって支持されるとともに、前記支持ボルトは、前記支え調整ボルトの突出長さ調整のため、ワイヤを掛けて吊り上げ可能な状態に突出させた側溝形成ブロック体に存する。
【００１１】
そしてまた、（２）、底板に開口部が形成されている上記（１）記載の側溝形成ブロック体に存する。
【００１２】
そしてまた、（３）、側溝ブロックの一方の端面に他の側溝ブロックの凹部に嵌合する凸部が、且つ他方の端面にさらに他の側溝ブロックの凸部に嵌合する凹部が形成されている上記（１）記載の側溝形成ブロック体に存する。
【００１３】
そしてまた、（４）、底板の上面が流水性向上のため湾曲状に形成されている上記（１）記載の側溝形成ブロック体に存する。
【００１４】
そしてまた、（５）、側溝ブロックに蓋穴が形成されている上記（１）記載の側溝形成ブロック体に存する。
【００１５】
そしてまた、（６）、蓋穴を備え底部が開放された側溝ブロックとこれに内接支持され開口部を有する底板とよりなる側溝形成ブロック体であって、上面が湾曲状に形成された底板は支持ボルトを使って側溝ブロックに設けた長溝を介して支持されることにより上下方向の動きの自由度を有し、底板の端部に突出長さが調整可能な支え調整ボルトを備え、前記支持ボルトは、前記支え調整ボルトの突出長さ調整のため、ワイヤを掛けて吊り上げ可能な状態に突出させた側溝形成ブロック体に存する。
本発明は、この目的に沿ったものであれば、上記１から５の中から選ばれた２つ以上を組み合わせた構成も採用可能である。
【００１６】
本発明によれば、側溝形成ブロックは、側溝ブロックと底板とを一体的に構成したことで設置場所に極めて簡単且つ容易に設置することができる。
しかも、その場合、側溝ブロックに内接支持される底板の勾配が調整可能になっていることで、簡単かつ的確に排水勾配に合わせて設置することができる。
【００１７】
【発明の実施の形態】
以下、図面に基づき、本発明による側溝形成ブロック体の好適な実施の形態を説明する。
【００１８】
図１は、この実施形態における側溝形成ブロック体の基礎コンクリートに対する施工後の構成例を示している。
図において側溝形成ブロック体１０は、底部が開放された側溝ブロック２０とこれに内接支持される底板３０とよりなり、底板３０の勾配が調整し得るようになっている。
また、図１に示すように、例えば、側溝形成ブロック体１０は、基礎材１、基礎コンクリート２の上にセメントミルク３によって固定される。
【００１９】
図２および図３は、側溝形成ブロック体１０を構成する側溝ブロック２０を拡大して示したものである。
図示のように、側溝ブロック２０は、概略、門型を形成しており、底部が開放されたものである。
側溝ブロック２０の側壁には、底板３０を支持するための支持ボルト３２を挿通する複数の長溝２１が貫通形成されている。
この例では、図２に示されるように各側壁において下部付近にて２つずつ、合計４つの長溝２１を有する。
【００２０】
また、側溝ブロック２０の一方の端面には、他の側溝ブロックの凹部に嵌合する凸部２２が形成され、また他方の端面にはさらに他の側溝ブロックの凸部に嵌合する凹部２３が形成されている。
この凹凸嵌合構造により複数の側溝ブロックを並設する場合、相互に位置ずれなく、ぴったりと連設することができる。
なお、側溝ブロック２０の上部には、蓋板を嵌め込むための蓋穴２４が形成されている。
【００２１】
図４は、側溝形成ブロック体１０を構成する底板３０を拡大して示した図である。
各々（Ａ）は平面図、（Ｂ）は、側面図、（Ｃ）は底面図、また（Ｄ）は断面図である。
底板３０の中央部には、後述するように、最終段階でセメントミルク３を流し込むための開口部３１が貫通形成されている。
底板３０は、図５に示したように、ゴミ等を滞らず流れ易くするため、上面が凹状に湾曲形成されている。
底板３０の側面には、図５（Ａ）に示すように、支持ボルト３２が螺着するためのインサート状のねじ部３３が形成されている。
この例では各側面に２つずつ、合計４つのねじ部３３を有する。
なお、図５（Ｂ）に拡大して示すように、支持ボルト３２にはねじが形成されていないものを使い、底板３０には、該支持ボルト３２が挿入されるインサート状の無ねじ部３３を形成することも可能である。
【００２２】
一方、底板３０の端部付近の裏面には、図４（Ｃ）に示されるように調整可能な支え調整ボルト３４（図１参照）を螺着するためのインサート状のねじ部３５が形成されている。
この例においては、底板３０の端部付近に合計４つのねじ部３５を有する。
このねじ部３５は、例えば図６のように、底板３０の所定部位にインサート成形することにより埋め込まれる。
支え調整ボルト３４は、ねじ部３５に対するねじ込み量を適宜設定することで、底板３０の裏面からの突出長さが調整可能であり、結果的に、施工時の底板３０の勾配を調整できるものである。
【００２３】
さて、上記構成の側溝形成ブロック体１０の施工方法について述べる。
例えば、道路等わきに掘削された溝条の中に側溝形成ブロック体１０を設置する場合、まず側溝ブロック２０と底板３０が設置場所とは別の作業場所で一体的に取り付けられる。
具体的には、図７に示すように底板３０を作業場所に置いておき、ワイヤ等で垂架された側溝ブロック２０を底板３０の上方に位置させる。
そして側溝ブロック２０をやや下げて底板３０を内接した状態で、側溝ブロック２０の長溝２１と底板３０のねじ部３３とを位置合わせする。
次に、ねじ部３３に長溝２１を介して支持ボルト３２を螺着する。
このように底部が開放された側溝ブロック２０に対して、底板３０は、その支持手段である支持ボルト３２を使って上下方向の一定動きの自由度を有するように内接支持され、これにより側溝ブロック２０と底板３０とが一体化される。
【００２４】
つぎに、一体化された側溝形成ブロック体１０は、その場所にて図８のように一方の支持ボルト３２にワイヤを掛け、底板３０の一端側を吊り上げる。
そして、排水勾配に合わせて底板３０が傾斜するように各支え調整ボルト３４の突出長さを適宜調整する。
この支え調整ボルト３４の調整においては、バール、ジヤッキあるいは人力により底板ブロックを一旦、浮かせ、この隙間に作業スペースを保持しておくための木片やコンクリート片等を挿入し、このように高さを確保した上で、支え調整ボルト３４を規定の長さに調整することも可能である。
なお、側溝形成ブロック体１０を水平に設置する場合には、すべての支え調整ボルト３４の突出長さを均等に調整することはいうまでもない。
【００２５】
つぎに、図９のように側溝形成ブロック体１０をワイヤ等で垂架して別の設置場所まで搬送する。
そして、側溝形成ブロック体１０を設置場所（基礎コンクリート上）に上から静置する。
底板３０は、支持ボルト３２が長溝２１を介して上下方向の動きの自由度を有しているため、側溝形成ブロック体１０を基礎コンクリート２上に静置するだけで、所定の設定勾配をもって据え付けられる（図１０）。
【００２６】
つぎに、図１０のように据付完了後、底板３０の開口部３１を通じて、基礎コンクリート２と底板３０との空間にセメントミルク３を流し込む。
セメントミルク３が固化することで、底板３０は基礎コンクリート上に安定して固定される（図１参照）。
なお、止水をより確実にするため、長溝２１を埋める作業を行うことが好ましい。
【００２７】
つぎに、別の側溝形成ブロック体１０を前記側溝形成ブロック体１０’を据え付け、以下、同様の手順で、隣接する側溝形成ブロック体１０を順次並設していくのである。
この場合、隣同士の側溝ブロック２０の凸部２２と凹部２３を嵌合させることにより、複数の側溝ブロック２０を位置ずれすることなく、ぴったりと連設することができる。
ここで、図１１は、本発明の側溝形成ブロック体１０を用いて構築された連続した水路の例（側面図）を示している。
ここで、図１２は、本発明の側溝形成ブロック体１０を用いて構築された連続した水路の例（斜視図）を示している。
側溝ブロック２０および底板３０を一体化した側溝形成ブロック体１０（１０’，１０”…）を順次このように据え付けていくことで、極めて効率よく、しかも適正勾配で水路を構築することができる。
【００２８】
以上、本発明を説明してきたが、本発明は実施形態にのみ限定されるものではなく、その本質から逸脱しない範囲で、他の色々な変形例が可能であることは言うまでもない。
例えば、図１３は底板３０の変形例を示している。
図１３（Ａ）のように浅いＶ字状断面形状のものや、あるいは図１３（Ｂ）のように凹状断面形状のものであってもよい。
また、上述の実施形態では底板３０の中央部に開口部３１を設ける例を説明したが、いずれかの端部側へ偏倚して１つ（図１４（Ａ））、あるいは２つ（図１４（Ｂ））設けてもよい。
また、支え調整ボルト３４は、底板３０の一方側に備えることも可能であるが、このような側溝形成ブロック体は、勾配調節に一方の方向性を必要とする場合に使用される。
【００２９】
【発明の効果】
以上説明したように本発明によれば、この種の水路を構築する場合側溝ブロックと底板を一体的に構成したことで地盤上に極めて簡単かつ容易に設置することができる。
側溝ブロックに内接支持される底板の勾配が調整可能になっていることで、簡単かつ的確に排水勾配に合わせて設置することができる。
これにより極めて効率よく施工できて工期の短縮となり、しかも的確に水路を構築することができる等の利点を有している。
【図面の簡単な説明】
【図１】図１は、本発明の実施形態における側溝形成ブロック体の構成例を示す正面図および側面図である。
【図２】図２は、本発明の実施形態における側溝ブロックを示す正面図および側面図である。
【図３】図３は、本発明の実施形態における側溝ブロックを示す上面図および底面図である。
【図４】図４は、本発明の実施形態における底板を示す平面図、側面図、底面図および断面図である。
【図５】図５は、本発明の実施形態における底板を示す断面図であり、（Ａ）及び（Ｂ）は、それぞれ異なったネジ部と支持ボルトとの関係を示す。
【図６】図６は、本発明の実施形態に係る突出長さ調整可能な支え調整ボルトを示す部分断面図である。
【図７】図７は、本発明の実施形態における水路構築方法の手順を示す正面及び側面の図である。
【図８】図８は、本発明の実施形態における水路構築方法の手順を示す正面及び側面の図である。
【図９】図９は、本発明の実施形態における水路構築方法の手順を示す正面及び側面の図である。
【図１０】図１０は、本発明の実施形態における水路構築方法の手順を示す正面及び側面の図である。
【図１１】図１１は、本発明の実施形態における側溝形成ブロック体を用いて構築された連続した水路の例（側面図）を示す図である。
【図１２】図１２は、本発明の実施形態における側溝形成ブロック体を用いて構築された連続した水路の例（斜視図）を示す図である。
【図１３】図１３は、本発明に係る底板の変形例を示すそれぞれ正面図である。
【図１４】図１４は、本発明に係る底板の変形例を示すそれぞれ断面図である。
【符号の説明】
１…基礎材
２…基礎コンクリート
３…セメントミルク
１０…側溝形成ブロック体
２０…側溝ブロック
２１…長溝
２２…凸部
２３…凹部
２４…蓋穴
３０…底板
３１…開口部
３２…支持ボルト
３３…ねじ部
３４…支え調整ボルト
３５…ねじ部
【図１】
0004151930.tif 000002
【図２】
0004151930.tif 000003
【図３】
0004151930.tif 000004
【図４】
0004151930.tif 000005
【図５】
0004151930.tif 000006
【図６】
0004151930.tif 000007
【図７】
0004151930.tif 000008
【図８】
0004151930.tif 000009
【図９】
0004151930.tif 000010
【図１０】
0004151930.tif 000011
【図１１】
0004151930.tif 000012
【図１２】
0004151930.tif 000013
【図１３】
0004151930.tif 000014
【図１４】
0004151930.tif 000015